(57)【要約】【課題】解決しようとする課題は、降雪した雪を道路脇への集積や仮置き場などに運搬させることなく除雪ができるように、除雪と同時に雪を融かすことのできる融雪車両を提供することにある。【課題手段】本発明は、車両に前方が開口した円筒形の排土板をアームを介して昇降自在に設け、前記円筒形の排土板内に回転ローダーを設け、前記回転ローダーにはバーナー室を設けることで、降雪した雪を回転ローダーで排土板内に取り込みながら、バーナー熱により短時間に融雪することを特徴とし、排土板内に拡散ノズルを設けることで、取り込んだ雪に拡散ノズルからの融雪剤を散布することにより、溶かされた雪の再凍結防止をはかることができる。【選択図】  図１
2020020091.tif 000002
【特許請求の範囲】
【請求項１】
車両に前方が開口した円筒形の排土板をアームを介して昇降自在に設け、前記円筒形の排土板内に回転ローダーを設け、前記回転ローダーにはバーナー室を設けることで、降雪した雪を回転ローダーで排土板内に取り込みながら、バーナー熱により短時間に融雪することを特徴とする融雪車両。
【請求項２】
前記円筒形の排土板にヒーターを設けたことを特徴とする請求項１に記載の融雪車両。
【請求項３】
前記円筒形の排土板内に拡散ノズルを設け、拡散ノズルから融雪剤を散布することを特徴とする請求項１に記載の融雪車両。
【発明の詳細な説明】
【技術分野】
【０００１】
本発明は降雪した雪を除雪する際、その場で融かしながら進行する融雪車両に関するものである。
【背景技術】
【０００２】
通常降雪した雪は除雪などにより他の場所に排除するか、その近辺に集積されている。しかし、排除するのには集積場所の確保や、運搬車両が必要となりスムーズに除雪が進まず、手間とコストが掛かるという課題がある。
【０００３】
この改善策として、融雪剤の散布があるが、塩化カルシウムは使用された後に、路面上に放置され車両の腐食や自然環境上好ましくなく、またコスト的にも割高なために特定の場所での使用となっているのが現状である。
【０００４】
除雪に関しては例えば、特開２００５−２６５３０２号には、雪を取り込むバケットの後方から火炎を放射し、融雪する融雪装置に関する技術が記載されているが、火気の使用は他の災害等に繋がる危険性がある。特開２００５−００９０８５号には、オーガハウジング内部に掻き込まれた雪を温風で融雪する技術が記載されているが、温風の熱量不足が懸念される。
【先行技術文献】
【特許文献】
【０００５】
【特許文献１】特開２００５−２６５３０２号（明細書０００６、図４）
【特許文献２】特開２００５−００９０８５号（明細書０００８、図２）
【発明の概要】
【発明が解決しようとする課題】
【０００６】
解決しようとする課題は、降雪した雪を道路脇への集積や仮置き場などに運搬させることなく除雪ができるように、除雪と同時に雪を融かすことのできる融雪車両を提供することにある。
【課題を解決するための手段】
【０００７】
本発明は、車両に前方が開口した円筒形の排土板をアームを介して昇降自在に設け、前記円筒形の排土板内に回転ローダーを設け、前記回転ローダーにはバーナー室を設けることで、降雪した雪を回転ローダーで排土板内に取り込みながら、バーナー熱により短時間に融雪することを特徴とする。また、排土板にもヒーターを設けてもよい。
【０００８】
排土板内に拡散ノズルを設け、取り込んだ雪に拡散ノズルからの融雪剤を散布することにより、溶かされた雪の再凍結防止をはかることができる。また、融雪剤に替えて温風を吹き付けてもよい。
【０００９】
排土板内に取り込まれた雪は、回転ローダーに設けたバーナーの熱により融かされ、排水された水が路上に残った雪を融かすことにもつながり、融雪剤を拡散ノズルから散布した場合は、融雪剤が混合された水として排水され、再凍結を防止することにつながる。
【発明の効果】
【００１０】
本発明の融雪機械は、降雪状態の雪をその場で融かして排除できるため、従来のような仮置き場の確保や仮置き場まで運搬するための経費と時間の節約が可能である。
【００１１】
融雪剤を用いずとも融雪は可能であるが、気温が氷点下を超える寒さの厳しい地域においては、融雪剤の利用が効果的である。
【図面の簡単な説明】
【００１２】
【図１】本融雪機の一例の側面図
【図２】本融雪機の一例の平面図
【図３】バケットの一例の側面図
【図４】車両と平行に設置した一例の斜視図
【図５】車両にアームを設置した一例の斜視図
【発明を実施するための形態】
【実施例１】
【００１３】
本発明の融雪車両について、図面を引用して説明する。
【００１４】
図１に示すように、車両の前部に、アーム２を介して、円筒形の排土板３を上下動可能に設ける。円筒形の排土板３の内部には、回転可能な中心軸となるバーナー室５と前記バーナー室５の周囲に羽根６を複数枚設ける。前記円筒形の排土板３の両側面にはサイドカバー４を設ける。
【００１５】
回転可能な中心軸となるバーナー室５を回転駆動するためのモータ１０を設け、前記バーナー室５の周囲に複数枚設けた羽根６が進行方向に向けて回転するようにしており、車両が進行しながら円筒形の排土板３内に雪を取り込むようにしている。取り込まれた雪は、バーナー室５からの熱により融かされ、路面に水として排出される。バーナー室５の熱源は、燃焼用の燃料となる、ガス、油など、または電気ヒーターなどが利用でき、適宜選択可能としている。
【実施例２】
【００１６】
円筒形の排土板３にヒーターを設けることで、羽根６が取り込んだ雪をバーナー室５の熱と併せ、効率よく雪を解かすことができる。ヒーターにはHIヒーターなどが利用でき、取付位置は、円筒形の排土板３の内面または外面など適宜選択が可能である。
【実施例３】
【００１７】
円筒形の排土板３の内部であって、縦方向及び横方向中心部付近に、融雪剤散布ノズル７を設けることで、羽根６が取り込んだ雪に融雪剤を散布することができる。車両の一部に融雪剤タンク１１を設け、配管により融雪剤散布ノズル７へ連結する。融かされた雪が再凍結しないために有効的である。本融雪剤は塩分を含まないものを用いる。
【実施例４】
【００１８】
図４に示すように、車両と並列に円筒形の排土板３を設けてもよい。車両が入れない場所や側道などの除雪に効果的である。
【００１９】
車両への設置は、アーム２を介して伸長及び回動可能に設けることができる。
【実施例５】
【００２０】
図５に示すように、車両にアーム２を設け、アーム２の先端に円筒形の排土板３を設けてもよい。アーム２の伸長や回動により、屋根などの高所の除雪が可能となる。
【００２１】
アームには複数個所に関節部を設け、車両への固定部を回動可能に設置する。関節部伸長可能にし、更に回動可能にしてもよい。アーム２の駆動には油圧などが用いられる。
【産業上の利用可能性】
【００２２】
本発明の融雪機械は、工業生産が可能であり、降雪時の除雪作業にも利用可能である。
【符号の説明】
【００２３】
１  融雪車両                      ７  融雪剤散布ノズル    １３  建物
２  アーム                        ８  雪                  １４  雪
３  円筒形の排土板                ９  路面                
４  サイドカバー                  １０  モータ
５  バーナー室                    １１  融雪剤タンク
６  回転羽根                      １２  塀
【図１】
2020020091.tif 000003
【図２】
2020020091.tif 000004
【図３】
2020020091.tif 000005
【図４】
2020020091.tif 000006
【図５】
2020020091.tif 000007
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
車両の前部に伸長及び回動可能なアームを介して円筒形の排土板を上下動可能に設け、円筒形の排土板の内部には、回転可能な中心軸となるバーナー室と前記バーナー室の周囲に羽根を複数枚設け、前記円筒形の排土板内に融雪剤拡散ノズルを設けることで、降雪した雪を羽根で排土板内に取り込みながらバーナー熱により短時間に融雪し、融雪剤拡散ノズルから融雪剤を散布することを特徴とする融雪車両。
【請求項２】
前記円筒形の排土板にヒーターを設けたことを特徴とする請求項１に記載の融雪車両。